(57)【要約】【課題】  これまでに操作されたことのないコンテンツに対してスクロール速度を変化させる表示制御装置を提供する。【解決手段】  スクロール速度決定手段１０３はスクロールの速度を決定し、決定されたスクロール速度で、複数の画像をスクロール表示する。また、指示検出部１０２は表示装置に表示されている画像に対する指示を検出し、指示が検出された画像が有する情報に基づいてスクロール速度を決定する。【選択図】  図１
2008157974.tif 000002
【特許請求の範囲】
【請求項１】
表示画面に表示される複数の画像の表示を制御する表示制御装置であって、
スクロールの速度を決定するスクロール速度決定手段と、
前記スクロール速度決定手段によって決定されたスクロール速度で、前記複数の画像をスクロール表示するスクロール表示制御手段と、
前記表示画面に表示されている画像に対する指示を検出する指示検出手段と
を備え、
前記スクロール速度決定手段は、前記指示検出手段によって指示が検出された画像が有する情報に基づいてスクロール速度を決定することを特徴とする表示制御装置。
【請求項２】
前記スクロール速度決定手段は、前記指示検出手段により指示を検出された画像が有する情報と関連付けられた情報を有する画像に対するスクロール速度を変更することを特徴とする請求項１に記載の表示制御装置。
【請求項３】
前記スクロール速度決定手段は、前記指示検出手段により指示を検出された画像が有する情報と関連付けられた情報を有していない画像に対するスクロール速度を変更することを特徴とする請求項１に記載の表示制御装置。
【請求項４】
前記指示検出手段によって検出される指示とは、
少なくとも画像の再生指示、コンテンツの詳細情報表示のいずれか一つであることを特徴とする請求項１乃至３のいずれか１項に記載の表示制御装置。
【請求項５】
前記表示制御手段は、前記スクロール速度決定手段によって決定されたスクロール速度が予め定めた値以上になった場合、前記複数の画像の表示を行なわないことを特徴とする請求項１乃至４のいずれか１項に記載の表示制御装置。
【請求項６】
前記スクロール速度決定手段は、前記指示検出手段により過去に指示を検出された画像が有する情報と関連度が高い情報を有する画像はスクロール速度を遅く、関連度が低い情報を有する画像はスクロール速度を速くなるように段階的にスクロール速度を決定することを特徴とする請求項１乃至５のいずれか１項に記載の表示制御装置。
【請求項７】
前記情報とは、前記画像が示すコンテンツのメタデータであることを特徴とする請求項１乃至６のいずれか１項に記載の表示制御装置。
【請求項８】
前記情報とは、前記画像が示すコンテンツから抽出された情報であることを特徴とする請求項１乃至７のいずれか１項に記載の表示制御装置。
【請求項９】
前記スクロール速度決定手段によって決定されるスクロール速度に変更することを無効に設定するスクロール速度変更無効設定手段を更に備えることを特徴とする請求項１乃至８いずれか１項に記載の表示制御装置。
【請求項１０】
前記スクロール速度決定手段によって決定されるスクロール速度の有効範囲を設定するスクロール速度変更有効範囲設定手段を更に備えることを特徴とする請求項１乃至９のいずれか１項に記載の表示制御装置。
【請求項１１】
表示画面に表示される複数の画像の表示を制御する表示制御装置の制御方法であって、
スクロール速度決定手段によってスクロールの速度を決定するスクロール速度決定工程と、
スクロール表示制御手段によって前記スクロール速度決定工程で決定されたスクロール速度で、前記複数の画像をスクロール表示するスクロール表示制御工程と、
指示検出手段によって前記表示画面に表示されている画像に対する指示を検出する指示検出工程と
を備え、
前記スクロール速度決定工程は、前記指示検出工程で指示が検出された画像が有する情報に基づいてスクロール速度を決定することを特徴とする表示制御装置の制御方法。
【請求項１２】
請求項１１に記載の表示制御方法をコンピュータに実行させることを特徴とするプログラム。
【発明の詳細な説明】
【技術分野】
【０００１】
本発明は、表示画面に表示される複数の画像の表示を制御する表示制御装置及び表示制御装置の制御方法に関する。
【背景技術】
【０００２】
従来、複数のコンテンツを一覧する際などに、ユーザの操作に応じて一連のコンテンツの表示位置を上下左右にずらしながら表示することで、一画面に収まらない情報を連続で表示させるスクロール表示が幅広く利用されている。しかし、コンテンツが大量になると、所望のコンテンツにたどりつくまでにユーザの操作量が増大してしまい使いづらいという問題がある。
【０００３】
そこで、特許文献１では、コンテンツの選択に要する時間とユーザ負担を軽減するために、過去の選択回数が多いコンテンツと少ないコンテンツでは、ユーザの視認性が異なることを用いて表示時間を相対的に変化させる表示制御装置が提案されている。
【特許文献１】特開２００６−０１１６９０号公報
【発明の開示】
【発明が解決しようとする課題】
【０００４】
しかしながら、従来の表示制御装置は、過去に操作されたコンテンツかどうかによってスクロール速度を決定するもので、これまでに操作されたことのないコンテンツに対してスクロール速度を変化させることはできなかった。
【０００５】
本発明は上記従来の問題点に鑑み、これまでに操作されたことのないコンテンツに対してスクロール速度を変化させる表示制御装置を提供することを目的とする。
【課題を解決するための手段】
【０００６】
上記目的を達成するために、本発明の表示制御装置は、
表示画面に表示される複数の画像の表示を制御する表示制御装置であって、
スクロールの速度を決定するスクロール速度決定手段と、
前記スクロール速度決定手段によって決定されたスクロール速度で、前記複数の画像をスクロール表示するスクロール表示制御手段と、
前記表示画面に表示されている画像に対する指示を検出する指示検出手段とを備え、
前記スクロール速度決定手段は、前記指示検出手段によって指示が検出された画像が有する情報に基づいてスクロール速度を決定することを特徴とする。
【０００７】
また、上記目的を達成するために、本発明の表示制御装置の制御方法は、
表示画面に表示される複数の画像の表示を制御する表示制御装置の制御方法であって、
スクロール速度決定手段によってスクロールの速度を決定するスクロール速度決定工程と、
スクロール表示制御手段によって前記スクロール速度決定工程で決定されたスクロール速度で、前記複数の画像をスクロール表示するスクロール表示制御工程と、
指示検出手段によって前記表示画面に表示されている画像に対する指示を検出する指示検出工程とを備え、
前記スクロール速度決定工程は、前記指示検出工程で指示が検出された画像が有する情報に基づいてスクロール速度を決定することを特徴とする。
【発明の効果】
【０００８】
本発明によれば、過去に操作されたことがないコンテンツのスクロール速度を変化させることができるので、ユーザの視認性が向上するという効果がある。
【発明を実施するための最良の形態】
【０００９】
以下、添付図面を参照して本発明の好適な実施の形態を詳しく説明する。尚、以下の実施の形態は特許請求の範囲に係る発明を限定するものでなく、また本実施の形態で説明されている特徴の組み合わせの全てが発明の解決手段に必須のものとは限らない。
【００１０】
（第１の実施形態）
図１は本発明を適用できる表示制御装置の構成を示す図である。表示制御装置１０１は、ユーザの操作を検出する指示検出部１０２を備え、指示検出部１０２で検出した操作内容によって、スクロール表示やコンテンツの選択および再生などを実行する。スクロール速度決定部１０３は、１度の画面表示では収まらない量のコンテンツを表示する場合などに、指示検出部１０２によりスクロール操作が検知されると、表示コンテンツを切り替えるためのスクロール速度を決定する。指示検出部１０２によってスクロール操作を検知すると、指定されている方向に、スクロール速度決定部１０３によって決定するスクロール速度に応じてコンテンツの表示位置をずらす。操作の検知が続く間、この処理を繰り返すことで、表示位置をスクロールし続けることができる。表示制御部１０４は、スクロール速度決定部１０３によって決定するスクロール速度を用いて、表示するコンテンツがスクロールされるように表示を制御する。また、表示部１０５は、表示制御装置１０１に接続されるＣＲＴや液晶、プラズマなど表示画面を有する表示ユニットに表示するためのもので、表示制御部１０４によって表示内容が制御される。なお、以上、各制御部における制御は少なくともＣＰＵ１０６と、このＣＰＵ１０６により実行される処理プログラムを記憶するプログラムメモリ１０７、ＣＰＵ１０６による処理時にワークエリアを提供して各種データを一時的に格納するメモリ１０８を有する。上記各部の機能及び以後に示すフローチャートの処理は、この処理プログラムに基きＣＰＵ１０６によって実現される。また、ここでいうコンテンツとはコンテンツそのものだけでなく、ファイル属性を示すアイコンや、フォルダや、静止画、動画、音声、テキスト等を示すサムネイル等の画像を含む。
【００１１】
図２に、本発明の表示制御装置によって表示制御する表示画面の例を示す。２０１は、コンテンツもしくはコンテンツを示すサムネイルである。ここで、コンテンツが一画面に表示しきれない場合などに、スクロール操作によって表示するコンテンツが少しずつ切り替えられる。ユーザのスクロール操作の方法としては、例えば、画面に表示される上ボタン２０２の押下で２０１の前に続くコンテンツが順に表示されるようなスクロール表示を開始し、再度上ボタン２０２を押下することでスクロール表示を停止する。また、下ボタン２０３の選択で下方向へのスクロール操作を行なう。画面上のボタンだけでなく、リモコンなどの操作を、指示検出部１０２が検出することによってスクロール操作指示を受けることで、スクロール表示を行なう。
【００１２】
まず、本発明の適用例としてコンテンツを一覧させる際に、表示するコンテンツが過去にユーザが着目したコンテンツに関連するかどうかで、スクロール速度を変更する例を説明する。これによりユーザが所望するコンテンツの視認性が高まるように表示される。
【００１３】
図３は、着目するコンテンツに関連するコンテンツがある場合に、スクロール速度を遅くする際の動作例を示すフローチャートである。この処理は、指示検出部１０２によりスクロール開始が検知されると開始される。まず、ステップＳ３０１で表示中のコンテンツからスクロール速度を決定する。次にステップＳ３０２で、ステップＳ３０１で決定したスクロール速度に応じて表示領域を移動させる。ステップＳ３０３で表示領域が終点に達したか調べる。ステップＳ３０３でＹｅｓとなれば処理を終了する。ステップＳ３０３でＮｏとなる場合には、ステップＳ３０４に進み、ステップＳ３０２で移動することで、表示領域内に表示されるコンテンツに変化があるか調べる。具体的には、新たに表示対象となるコンテンツがあるか、それと同時に、表示されていたコンテンツで新たに非表示対象となるコンテンツがあるかを調べる。次にステップ３０５で、新たに表示対象となるコンテンツ、もしくは、新たに非表示対象となるコンテンツがあるかを着目コンテンツの情報があるかどうかによって分岐する。ステップＳ３０５でＹｅｓとなる場合には、表示中のコンテンツが変わるので、ステップＳ３０１に戻って、あらたな表示コンテンツに対して再びスクロール速度を決定する。ステップＳ３０５でＮｏとなる場合には、ステップＳ３０２に戻って、前の同じスクロール速度に応じて表示領域を移動させる。ステップＳ３０３で表示領域が終点に達してスクロールが終了するまで処理を繰り返す。もちろん、指示検出部１０２によりスクロール終了が検知される場合も処理を終了する。
【００１４】
図４は、図３のステップＳ３０１で、表示中のコンテンツからスクロール速度を決定する際の動作例を示すフローチャートである。まず、ステップＳ４０１で過去に着目したコンテンツの情報があるかどうか調べる。ステップＳ４０１でＮｏとなる場合には、ステップＳ４０５であらかじめ用意されるデフォルトのスクロール速度に決定して処理を終了する。ステップＳ４０１でＹｅｓとなる場合には、ステップＳ４０２に進み、過去に着目したコンテンツの情報を取得する。着目コンテンツとは、例えば詳細表示や再生などユーザが行なった操作に基づいて決定されるもので、この着目コンテンツに関する情報はスクロール速度決定部１０３に含まれる記憶部が保持する。続けてステップＳ４０３で、ステップＳ４０２で取得した過去の着目コンテンツの情報に関連する情報を保持するコンテンツがあるかどうか調べる。次に、ステップＳ４０４で、ステップＳ４０３で調べた結果に基づいてスクロール速度を決定する。本実施例では、ステップＳ４０３で、過去の着目コンテンツに関連する情報を保持するコンテンツがあると判断された場合には、ステップＳ４０４で決定するスクロール速度は遅くなる。なお、過去の着目コンテンツに関連するコンテンツがあるかどうかだけでスクロール速度を決定するのではなく、関連コンテンツの表示数が多いほどスクロール速度を遅くするなど、関連コンテンツの量に応じて、さらにスクロール速度を変更してもよい。
【００１５】
ところで、以上、過去の着目コンテンツに関連するコンテンツがある場合に、スクロール速度を遅くさせる際の動作を示したが、過去の着目コンテンツに関連しないコンテンツのスクロール速度を速くしてもよい。この場合、ステップＳ４０３で過去に着目したコンテンツの情報に関連する情報を保持するコンテンツがあるかどうかを調べるステップまでは同様の処理だが、ステップＳ４０４でスクロール速度を決定する際、過去に着目したコンテンツに関連しないコンテンツかで判断する。さらには、過去に着目したコンテンツに関連しないコンテンツのスクロール速度を速くする。これにより、過去に着目したコンテンツに関連しないコンテンツの表示時間を、関連するコンテンツより短くできるので、関連するコンテンツの視認性が向上する。
【００１６】
なお、本実施形態では、着目コンテンツの数については言及しないが、複数の着目データがある場合には各着目データに関連するコンテンツのそれぞれに関してスクロール速度を変更するようにしてもよい。また、ユーザが着目するコンテンツの情報は、詳細情報表示指示や再生指示など、ユーザの着目を示す操作が行なわれるたびに更新する。そのため、スクロール操作ごとに、着目コンテンツ情報を取得するとして説明したが、着目コンテンツに変更がない場合には、取得処理は省略してもよい。なお、コンテンツ情報とは、属性や、名称、作成日時、あるいはユーザが付加するキーワードなどとし、それらの間の関連を判断できる情報であればどのようなものであってもよい。さらには、コンテンツ自体から抽出される情報でもよく、例えば、コンテンツの類似度で関連を判断してもよい。
【００１７】
また、本実施形態では、スクロール速度は常にスクロール速度決定部１０３において決定された速度で行われる例を示した。しかし、スクロール速度決定部におけるスクロール速度の変更時において、スクロール速度を徐々に加速、あるいは減速させる構成としても構わない。この様な構成とする事で、スクロール速度の変更時にも滑らかなスクロール表示が可能となる。
【００１８】
また、本実施例では、過去に着目したコンテンツに関連するコンテンツが表示領域にある場合にスクロール速度を変更する例を示したが、全体のスクロール速度は変更せずに、関連するコンテンツのみのスクロール速度を変更してもよい。着目コンテンツに関連するコンテンツのみ速度が異なるので、例えば、アニメーション表示を用いて他のコンテンツに追い抜かれるように表示したり、追い越すように表示したりする。ここで、変更するスクロール速度は、スクロール速度決定部１０３によってあらかじめ設定される値を用いてもよいが、ユーザが設定できるようにしてもよい。もしくは、大量のコンテンツを一覧させる中から、任意のコンテンツを選択する場合など、全体のコンテンツ量が多いほど効果があるので、コンテンツ量によって自動的に決定されるようにしてもよい。
【００１９】
以上説明したように、本実施形態によれば、スクロール操作中に、過去に着目したコンテンツに関連するコンテンツかどうかによってスクロール速度が変更され、ユーザが所望するコンテンツを着目しやすくするのでユーザの視認性が向上する。
【００２０】
（第２の実施形態）
次に、第２の実施形態として、第１の実施形態において、過去の着目コンテンツに関連しないコンテンツのスクロール速度を速くした代わりに、速度が一定以上になる場合はコンテンツを非表示とする例を説明する。これによりユーザが所望するコンテンツの視認性が向上する。尚、第２実施形態の表示制御装置の構成は第１の実施形態（図１）と同様である。
【００２１】
第１の実施形態で示したステップＳ３０１において、スクロール速度決定部１０３によってスクロール速度を決定した後、速度が一定以上となったコンテンツを非表示に設定する他は、第１の実施形態と同様のため詳細な説明は省略する。図５は、着目データに関連しないコンテンツを非表示とする場合の動作例を示すフローチャートである。ステップＳ５０１で表示対象コンテンツからスクロール速度を決定する。ステップＳ５０２で、ステップＳ５０１で決定したスクロール速度が、あらかじめ設定される表示最大速度を超えたかどうか調べる。ステップＳ５０２でＮｏとなった場合には、第１の実施形態と同様に、ステップＳ５０３に進み、ステップＳ５０１で決定したスクロール速度に応じて表示を移動させる。ステップＳ５０２でＹｅｓとなる場合には、ステップＳ５０７で本来の表示対象コンテンツの次のコンテンツが表示されるまで移動する。これにより、スクロール速度があらかじめ設定される一定の速度以上となったコンテンツは非表示となる。この非表示設定によって、表示制御部１０４は過去に着目したコンテンツに関連しないコンテンツの場合には、スクロール操作の結果として表示領域の対象となっても、コンテンツが表示されないように制御する。本実施形態において、スクロール速度決定部１０３では、スクロール速度が増大して一定値を超える場合に、過去の着目コンテンツに関連しないコンテンツを非表示にする。なお、ユーザが非表示になるスクロール速度の閾値を設定できるようにしてもよい。
【００２２】
図６は、過去の着目コンテンツに関連しないコンテンツを非表示とする場合の概念図を示す。左に表示したコンテンツ群は、６０３が一つのコンテンツを表し、複数のコンテンツが表示されていることを示している。６０１の枠が、例えば、一画面に表示するコンテンツを示す。また、６０１の画面表示中に、指示検出部１０２からスクロール操作の検出が１秒間続くと、それに応じて表示されるコンテンツの位置を６０２に示す。つまり、６０１の表示状態で、スクロール操作を開始して、１秒後に終了すると、ちょうど一画面分切り替えられることを示している。スクロール指示が行なわれる場合に、１回の指示に応じて、あるいは、指示が継続される時間に応じて、表示するコンテンツの位置をどれだけ移動するかをスクロール速度決定部１０３によって決定する。もちろん、スクロール操作によって切り替えられるのは画面ごとである必要はないので、コンテンツごとでもよく、一連のコンテンツが順次表示されていくものであればどのようなものであってもよい。
【００２３】
ここで、６０４〜６０５のコンテンツは、過去の着目コンテンツに関連しないコンテンツである。よって、スクロール速度決定部１０３によって関連しないコンテンツを非表示にすると決定されると、コンテンツ６０６の次には、コンテンツ６０７が表示されることになる。６０８が本実施形態を適用した場合に６０１の代わりに表示するコンテンツ群となる。この場合、スクロール操作を行なわなくても、６０７以降のコンテンツが表示されることになる。
【００２４】
以上説明したように、本実施形態によれば、スクロール操作中の表示対象コンテンツが、過去に着目したコンテンツに関連しない場合にスクロール速度が一定以上だと表示されないように制御する。これによりユーザが所望するコンテンツを着目しやすくするのでユーザの視認性が向上する。
【００２５】
（第３の実施形態）
次に、第３の実施形態として、第１の実施形態において過去の着目コンテンツと関連があるかどうかでスクロール速度を決定していた代わりに、過去の着目コンテンツとの関連度に応じてスクロール速度を決定する例を説明する。これにより、過去の着目コンテンツとの関連が高いコンテンツはスクロール速度が遅く、関連が低いコンテンツはスクロール速度が早くなるように段階的に決定される。これによってユーザが所望するコンテンツの視認性を向上する。尚、第３実施形態の表示制御装置の構成は第１の実施形態（図１）と同様である。
【００２６】
図７は、過去に着目したコンテンツに対する関連度に応じてスクロール速度を変更させる際の動作例を示すフローチャートである。まず、ステップＳ７０１〜ステップＳ７０２で過去の着目コンテンツの情報を取得するところまでと、過去の着目コンテンツが取得できない場合のステップＳ７０５は前述の実施形態と同様のため説明を省略する。ステップＳ７０３で着目コンテンツの情報を取得したあと、ステップＳ７０４で、関連度に応じてスクロール速度を決定する。関連度の決定方法としては、たとえばコンテンツ情報に含まれるメタデータの類似度を用いて、類似するメタデータが多いほど関連度を高くする。表示制御装置１０１に、更にコンテンツ同士の関連度を決定するコンテンツ関連度決定部を設けてもよい。ここで、コンテンツ情報の関連度は、全ての未表示コンテンツに対して、別プロセスで取得されるようにしてもよいし、一定量のスクロール先まで常に先に取得されるようにしておいてもよい。
【００２７】
なお、ここでは、関連度の高いコンテンツほど表示時間が長くなるようにスクロール速度を遅くしたが、用途によっては関連度の高いコンテンツほど表示時間が短くなるようにスクロール速度を速くしてもよい。これは、たとえば、ジャンルや、メタデータの異なるコンテンツを、続けて選びたい場合に有効となる。もしくは、コンテンツを探す場合に、詳細情報をチェックして不要だと判断されたコンテンツに関連するコンテンツは、やはり不要だと判断できる場合に有効となる。変更の設定はユーザが指示検出部１０２によって指示するか、ユーザの操作に応じて自動的に判定する。
【００２８】
以上説明したように、本実施形態によれば、過去に着目したコンテンツの関連度に応じてスクロール速度が変更されるので、ユーザが所望するコンテンツに着目しやすくなることでユーザの視認性が向上する。
【００２９】
（第４の実施形態）
次に、第４の実施形態として、上述した実施形態において、スクロール速度を変更しても、効果が大きくない場合にはスクロール速度の変更を無効にする例を説明する。この場合の表示制御装置の構成図を図８に示す。８０６は、スクロール速度の変更に対して無効の設定を行なう、スクロール速度変更設定部である。その他は、図１に示した場合と同様なので説明は省略する。スクロール速度変更設定部８０６は、指示検知部８０２が、スクロール速度変更の無効というユーザの指示を検出すると、スクロール速度決定部８０３に速度変更の無効を指示する。なお、スクロール速度決定部８０３に対して、あらかじめ速度を決定しないようにしてもよいし、決定した速度を無効にしてもよいし、もしくは、表示制御部８０４に対して、速度変更の無効を指示しても良い。
【００３０】
もちろん、ユーザがスクロール速度変更の無効の設定や解除の設定をしなくても、表示対象のコンテンツ量が少ない場合など、自動的にスクロール速度の変更が無効になるようにしてもよい。たとえば、スクロール速度変更設定部８０６が、コンテンツ量からスクロール速度の変更が有効かどうかを判断する。
【００３１】
もしくは、スクロール速度変更設定部８０６は、あらかじめユーザが設定した速度変更範囲に基づいてスクロール速度の変更が有効か無効かどうかを設定するようにしてもよい。例えば、コンテンツが日付順に並べられる場合には、日付を範囲として指定することで、最近のコンテンツに対してのみスクロール速度の変更を有効にし、古いコンテンツに対してはスクロール速度の変更を無効にする。
【００３２】
また、スクロール速度の変更を、現在のスクロール操作にのみ反映させるのか、現在のコンテンツ一覧において全体に反映させるのか、再度設定が変更されるまで変更した設定を有効にしておくかを設定してもよい。なお、スクロール速度決定部８０３に対してあらかじめ速度を決定する範囲を設定してもよいし、決定した速度の有効範囲を後から設定してもよいし、もしくは、表示制御部８０４に対して、速度変更の有効範囲を指示しても良い。
【００３３】
さらには、ユーザ認識手段をもたせることで、ユーザごとに、スクロール速度の変更量や、解除などが設定できるようにしてもよい。他に、タイマー測定手段をもたせることで、一定時間経過後に、スクロール速度の変更が解除されるようにしてもよい。
【００３４】
以上説明したように、本実施形態によれば、スクロール操作の際に、スクロール速度への変更を無効にするかどうか設定する。そしてスクロール速度によるコンテンツの視認性向上がより有効な場合にのみ過去に着目したコンテンツに対する関連に応じてスクロール速度を変更する。これにより、無駄にスクロール速度が変更されることが少なくなるので、ユーザにとって使いやすいスクロール操作を実現することができる。
【００３５】
以上説明したように、本発明によれば、スクロール操作中に、過去に着目したコンテンツに関連するコンテンツかどうかによってスクロール速度を変更することができる。これにより、ユーザが所望するコンテンツを着目しやすくするのでユーザの視認性が向上する。
【００３６】
以上、実施形態を詳述したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【００３７】
尚、本発明は、ソフトウェアのプログラムをシステム或いは装置に直接或いは遠隔から供給し、そのシステム或いは装置のコンピュータが該供給されたプログラムコードを読み出して実行することによって前述した実施形態の機能が達成される場合を含む。この場合、供給されるプログラムは実施形態で図に示したフローチャートに対応したプログラムである。
【００３８】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００３９】
その場合、プログラムの機能を有していれば、オブジェクトコード、インタプリタにより実行されるプログラム、ＯＳに供給するスクリプトデータ等の形態であっても良い。
【００４０】
プログラムを供給するための記録媒体としては以下が挙げられる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００４１】
その他、プログラムの供給方法としては、クライアントコンピュータのブラウザを用いてインターネットのホームページに接続し、該ホームページから本発明のコンピュータプログラムをハードディスク等の記録媒体にダウンロードすることが挙げられる。この場合、ダウンロードされるプログラムは、圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４２】
また、本発明のプログラムを暗号化してＣＤ−ＲＯＭ等の記憶媒体に格納してユーザに配布するという形態をとることもできる。この場合、所定の条件をクリアしたユーザに、インターネットを介してホームページから暗号を解く鍵情報をダウンロードさせ、その鍵情報を使用して暗号化されたプログラムを実行し、プログラムをコンピュータにインストールさせるようにもできる。
【００４３】
また、コンピュータが、読み出したプログラムを実行することによって、前述した実施形態の機能が実現される他、そのプログラムの指示に基づき、コンピュータ上で稼動しているＯＳなどとの協働で実施形態の機能が実現されてもよい。この場合、ＯＳなどが、実際の処理の一部または全部を行ない、その処理によって前述した実施形態の機能が実現される。
【００４４】
さらに、記録媒体から読み出されたプログラムが、コンピュータに挿入された機能拡張ボードやコンピュータに接続された機能拡張ユニットに備わるメモリに書き込まれて前述の実施形態の機能の一部或いは全てが実現されてもよい。この場合、機能拡張ボードや機能拡張ユニットにプログラムが書き込まれた後、そのプログラムの指示に基づき、その機能拡張ボードや機能拡張ユニットに備わるＣＰＵなどが実際の処理の一部または全部を行なう。
【図面の簡単な説明】
【００４５】
【図１】第１の実施形態における表示制御装置の構成を示す図である。
【図２】本発明の表示制御装置によって表示する画面例である。
【図３】第１の実施形態における、スクロール速度を決定する際の動作例を示すフローチャートである。
【図４】第１の実施形態における、表示中のコンテンツからスクロール速度を決定する際の動作例を示すフローチャートである。
【図５】第２の実施形態おける、着目データに関連しないコンテンツを表示しない際の動作例を示すフローチャートである。
【図６】第２の実施形態における、着目データに関連しないコンテンツを表示しない例の概念図である。
【図７】第３の実施形態における、過去に着目したコンテンツに対する関連度に応じてスクロール速度を決定する際の動作例を示すフローチャートである。
【図８】第４の実施形態における表示制御装置の構成を示す図である。
【符号の説明】
【００４６】
１０１  表示制御装置
１０２  指示検出部
１０３  スクロール速度決定部
１０４  表示制御部
１０５  表示部
１０６  ＣＰＵ
１０７  プログラムメモリ
１０８  メモリ
【図１】
2008157974.tif 000003
【図２】
2008157974.tif 000004
【図３】
2008157974.tif 000005
【図４】
2008157974.tif 000006
【図５】
2008157974.tif 000007
【図６】
2008157974.tif 000008
【図７】
2008157974.tif 000009
【図８】
2008157974.tif 000010